(57)【要約】      （修正有）【課題】任意の図案を任意に部品を組み合わせて組立てることができる、プラスチック製菱面体を提供する。【解決手段】プラスチック製菱面体１０００には、２セットの左右に対称に設置された挿入用スリーブ１００を有し、前記挿入用スリーブ１００には一つのケース体と、前記ケース体の裏に形成された一つの下向きの挿入用溝とがある。前記ケース体には一つの外部三角形板１１０と、一つの内部三角形板１２０とがあり、前記外部三角形板１１０は内部三角形板１２０と似て、それに、前記外部三角形板１１０は内部三角形板１２０より大きい。前記外部三角形板１１０の左側は内部三角形板１２０の左側と固定接続され、前記外部三角形板１１０の右側は内部三角形板１２０の右側が固定接続される。こうして、前記ケース体は三角形に形成させ、前記外部三角形板１１０と内部三角形板１２０の間のクランプは挿入用溝に形成させ、そして、前記挿入用溝も三角形に形成させる。前記二つの挿入用スリーブ１００の内部三角形の底側が接続される。二つの挿入用スリーブ１００は前記底側を回って回転し、開閉することができる。【選択図】図１
0003164144.tif 000002
【実用新案登録請求の範囲】
【請求項１】
２セットの挿入用スリーブがあり、前記スリーブには一つのケース体と、それに、前記ケース体の裏に形成された一つの下向きの挿入用溝とがあり、前記ケース体の上部は下部より小さく、前記挿入用溝の上部は下部より小さく、それに、前記２セットの挿入用スリーブのケース体の片側が接続される組立玩具のプラスチック製菱面体。
【請求項２】
前記ケース体の形は前記挿入用溝の形に似ていることを特徴とする請求項１に記載の組立玩具のプラスチック製菱面体。
【請求項３】
前記ケース体には二つの三角形板があり、前記二つの三角形板の左側が固定接続され、前記二つの三角形板の右側が固定接続されることを特徴とする請求項２に記載の組立玩具のプラスチック製菱面体。
【請求項４】
前記二つの三角形板は外部三角形板と、内部三角形板との二種類に分けて、前記外部三角形板は内部三角形板に似て、そして、前記外部三角形板は内部三角形板より大きいことを特徴とする請求項３に記載の組立玩具のプラスチック製菱面体。
【請求項５】
前記二つの挿入用スリーブの内部三角形板の底側が接続されることを特徴とする請求項４に記載の組立玩具のプラスチック製菱面体。
【請求項６】
前記ケース体には二つの接続板があり、前記接続板は菱形板あるいは半円形板あるいは半楕円形板あるいは半多角形板あるいは台形板で、前記二つの接続板の左側が固定接続され、前記二つの接続板の右側が固定接続されることを特徴とする請求項２に記載の組立玩具のプラスチック製菱面体。
【請求項７】
前記二つの挿入用スリーブが左右に対称に設置されることを特徴とする請求項１〜６のいずれか一項に記載の組立玩具のプラスチック製菱面体。
【請求項８】
前記挿入用スリーブの材料はプラスチックであることを特徴とする請求項１〜６のいずれか一項に記載の組立玩具のプラスチック製菱面体。
【請求項９】
前記挿入用スリーブの材料はゴムであることを特徴とする請求項１〜６のいずれか一項に記載の組立玩具のプラスチック製菱面体。
【請求項１０】
前記挿入用スリーブの材料はゴム状プラスチックで合成された滑り止め材料であることを特徴とする請求項１〜６のいずれか一項に記載の組立玩具のプラスチック製菱面体。
【考案の詳細な説明】
【技術分野】
【０００１】
本考案は組立玩具のプラスチック製菱面体に関し、特に色々の図案と形につなぎ合わせることができるプラスチック製菱面体に関する。
【背景技術】
【０００２】
教育玩具には児童の知能を向上できるという機能があるので、広く使用され、市場支配力が強い。積み木は一種の教育玩具であるが、現在、販売された従来積み木にはすべて、以下の問題があり、部品の大体輪郭をつなぎ合わせることしかできなく（画素が低いと同じである）、部品の真実らしい形や図案をつなぎ合わせることができない。
【考案の概要】
【考案が解決しようとする課題】
【０００３】
本考案の目的として、一種の組立玩具のプラスチック製菱面体を提供し、部品の大体の輪郭をつなぎ合わせることしかできないという従来積み木の問題を解決する。
【課題を解決するための手段】
【０００４】
本考案は以下の技術手段を採用し、
組立玩具のプラスチック製菱面体には、２セットの挿入用スリーブがあり、前記スリーブには一つのケース体と、それに、前記ケース体の裏に形成された一つの下向きの挿入用溝とがあり、前記ケース体の上部は下部より小さく、前記挿入用溝の上部は下部より小さく、それに、前記２セットの挿入用スリーブのケース体の片側が接続される。
【０００５】
もっとも好ましい実施例には、前記ケース体の形は前記挿入用溝の形に似ている。
【０００６】
もっとも好ましい実施例には、前記ケース体には二つの三角形板があり、前記二つの三角形板の左側が固定接続され、前記二つの三角形板の右側が固定接続される。
【０００７】
もっとも好ましい実施例には、前記二つの三角形板は外部三角形板と、内部三角形板との二種類に分けて、前記外部三角形板は内部三角形板に似て、そして、前記外部三角形板は内部三角形板より大きい。
【０００８】
もっとも好ましい実施例には、前記二つの挿入用スリーブの内部三角形板の底側が接続される。
【０００９】
もっとも好ましい実施例には、前記ケース体には二つの接続板があり、前記接続板は菱形板あるいは半円形板あるいは半楕円形板あるいは半多角形板あるいは台形板で、前記二つの接続板の左側が固定接続され、前記二つの接続板の右側が固定接続される。
【００１０】
もっとも好ましい実施例には、前記二つの挿入用スリーブが左右に対称に設置される。
【００１１】
もっとも好ましい実施例には、前記挿入用スリーブの材料はプラスチックである。
【００１２】
もっとも好ましい実施例には、前記挿入用スリーブの材料はゴムである
【００１３】
もっとも好ましい実施例には、前記挿入用スリーブの材料はゴム状プラスチックで合成された滑り止め材料である。
【００１４】
本技術手段は従来技術と比べると、前記複数のプラスチック製菱面体は相互につなぎ合わせ、任意に部品を組み立てることができ、組み立てた部品は真に迫り、そして、任意に図案を組み立てることができ、組み立てた図案は真に迫る。そして、プラスチック製菱面体の材料はプラスチックであるので、以下の特徴があり、１．モールドで加工され、短期間で大量生産でき、２．接続は確実で、接着剤を使う必要がなく、３．繰り返して使うことができ、４．組み立てた部品や図案は外れにくい。そして、前記外部三角板は内部三角板に似て、それに、前記外部三角板は内部三角板より大きいので、前記外部三角形板と内部三角形板の間に形成された挿入用溝はより大きい挿入用スペースになる。加えて、挿入用スリーブのケース体の形と挿入用溝の形はすべて三角形であるので、ケース体は挿入用溝と対応し、下の挿入用スリーブのケース体は上の挿入用スリーブの挿入用溝に挿入できる。
【図面の簡単な説明】
【００１５】
以下は図と好ましい実施形態をまとめて、本考案の内容をいっそう詳しく説明する。
【図１】本考案の一つの好ましい実施形態のプラスチック製菱面体の立体図をしめす。
【図２】本考案の一つの好ましい実施形態のプラスチック製菱面体の底面図をしめす。
【図３】本考案の一つの好ましい実施形態のプラスチック製菱面体の左側面図をしめす。
【図４】本考案の一つの好ましい実施形態の複数のプラスチック製菱面体がつなぎ合わせている様子を示した立体図を示す。
【考案を実施するための形態】
【００１６】
図１と、図２と、図３とに示すように、プラスチック製菱面体１０００には、２セットの左右に対称に設置された挿入用スリーブ１００があり、前記プラスチック製菱面体の材料はゴム状プラスチックで合成された滑り止め材料である。前記挿入用スリーブ１００には一つのケース体と、前記ケース体の裏に形成された一つの下向きの挿入用溝１３０とがある。
【００１７】
前記ケース体には一つの外部三角形板１１０と、一つの内部三角形板１２０とがあり、前記外部三角形板１１０は内部三角形板１２０と似て、それに、前記外部三角形板１１０は内部三角形板１２０より大きい。前記外部三角形板１１０の左側は内部三角形板１２０の左側と固定接続され、前記外部三角形板１１０の右側は内部三角形板１２０の右側が固定接続される。こうして、前記ケース体は三角形に形成させ、前記外部三角形板１１０と内部三角形板１２０の間のクランプは挿入用溝１３０に形成させ、そして、前記挿入用溝１３０も三角形に形成させる。本実施例には、前記接続板は三角形板であるが、それのみに限定されず、たとえば、本実施例には、菱形板あるいは半円形板あるいは半楕円形板あるいは半多角形板あるいは台形板などを使用されてもよい。
【００１８】
前記二つの挿入用スリーブ１００の内部三角形の底側が接続される。それに、その材料はゴム状プラスチックで合成された滑り止め材料であるので、二つの挿入用スリーブ１００は前記底側を回って回転し、開閉することができる。
【００１９】
図４には複数の前記プラスチック製菱面体１０００がつなぎ合わせている様子を示す。
【００２０】
以上のように、本考案でただ好ましい実施例を開示したが，本考案のデザインアイディアはこれに限定されるものではなく、当業者が、本考案のアイディアと範囲に基づいて色々変形させることは可能であり，それらは本考案の請求項の保護範囲から排除するものではない。
【図１】
0003164144.tif 000003
【図２】
0003164144.tif 000004
【図３】
0003164144.tif 000005
【図４】
0003164144.tif 000006
【手続補正書】
【提出日】平成22年9月9日(2010.9.9)
【手続補正１】
【補正対象書類名】実用新案登録請求の範囲
【補正対象項目名】全文
【補正方法】変更
【補正の内容】
【実用新案登録請求の範囲】
【請求項１】
２セットの挿入用スリーブを有する組立玩具のプラスチック製菱面体であって、前記スリーブの各々は、一つのケース体と、前記ケース体の裏に形成された一つの下向きの挿入用溝とを有し、前記ケース体の上部は下部より小さく、前記挿入用溝の上部は下部より小さく、前記２セットの挿入用スリーブの一方のケース体の片側と他方のケース体の片側とが接続していることを特徴とする組立玩具のプラスチック製菱面体。
【請求項２】
前記ケース体の形は前記挿入用溝の形に似ていることを特徴とする請求項１に記載の組立玩具のプラスチック製菱面体。
【請求項３】
前記ケース体は二つの三角形板を有し、前記二つの三角形板は、底側に位置する縁以外の縁で互いに接続していることを特徴とする請求項２に記載の組立玩具のプラスチック製菱面体。
【請求項４】
前記二つの三角形板は外部三角形板と、内部三角形板との二種類に分けて、前記外部三角形板は内部三角形板に似て、そして、前記外部三角形板は内部三角形板より大きいことを特徴とする請求項３に記載の組立玩具のプラスチック製菱面体。
【請求項５】
前記二つの挿入用スリーブの内部三角形板の底側が接続されることを特徴とする請求項４に記載の組立玩具のプラスチック製菱面体。
【請求項６】
前記ケース体は二つの接続板を有し、前記接続板は菱形板あるいは半円形板あるいは半楕円形板あるいは半多角形板あるいは台形板で、前記二つの接続板は、底側に位置する縁以外の縁で互いに接続していることを特徴とする請求項２に記載の組立玩具のプラスチック製菱面体。
【請求項７】
前記二つの挿入用スリーブが左右対称に設置されることを特徴とする請求項１〜６のいずれか一項に記載の組立玩具のプラスチック製菱面体。
【請求項８】
前記挿入用スリーブの材料はプラスチックであることを特徴とする請求項１〜６のいずれか一項に記載の組立玩具のプラスチック製菱面体。
【請求項９】
前記挿入用スリーブの材料はゴムであることを特徴とする請求項１〜６のいずれか一項に記載の組立玩具のプラスチック製菱面体。
【請求項１０】
前記挿入用スリーブの材料はゴム状プラスチックで合成された滑り止め材料であることを特徴とする請求項１〜６のいずれか一項に記載の組立玩具のプラスチック製菱面体。